(57)【要約】【課題】  製品特性により広幅方向のサイズの異なる大小複数種類の紙箱などを内容物として収納するディスペンサーであって、このディスペンサーの広幅方向のサイズおよび取出し口の位置が上記の一方の広幅方向のサイズの大きい種類の紙箱等のサイズおよび取出し口に合わせて形成されている衛生薄葉紙のディスペンサーにおいて、上記の他方の広幅方向のサイズが小さい種類の紙箱などを収納する際に、該ディスペンサーの取出し口の位置と紙箱等の取出し口の位置のずれを解消することにある。【解決手段】  プラスチック等のシート状物からなり、フラップを備える広幅方向の両側面が開閉され、この両側面から紙箱等を装填する一体型の衛生薄葉紙用ディスペンサーにおいて、該ディスペンサーの広幅方向の両側面の内側面に位置調整用の部材を設けたことを特徴とする衛生薄葉紙のディスペンサー。【選択図】  図１
2006027694.tif 000002
【特許請求の範囲】
【請求項１】
プラスチック等のシート状物からなり、フラップを備える広幅方向の両側面が開閉され、この両側面から紙箱等を装填する一体型の衛生薄葉紙用ディスペンサーにおいて、該ディスペンサーの広幅方向の両側面の内側面に位置調整用の部材を設けたことを特徴とする衛生薄葉紙のディスペンサー。
【請求項２】
位置調整用の部材がウレタンフォームなどの圧縮可能な弾性部材からなる請求項１記載のディスペンサー。
【請求項３】
位置調整用の部材がディスペンサーに対し着脱自在に設けられている請求項１または２記載のディスペンサー。
【請求項４】
紙箱等の内容物がディスペンサーの適正位置に収納されていることを示すインジケーターを備えている請求項１から３までのいずれか１項記載のディスペンサー。
【請求項５】
製品特性により広幅方向のサイズの異なる大小複数種類の紙箱などを内容物として収納するディスペンサーにおいて、このディスペンサーの広幅方向のサイズが上記の一方の広幅方向のサイズが大きい種類の紙箱などに合わせて形成され、上記の他方の広幅方向のサイズが小さい種類の紙箱などを収納する際には該ディスペンサーの広幅方向の両内側面に該ディスペンサーの取出し口の位置と紙箱等の取出し口の位置のずれを解消するための位置調整用の部材を取付けることを特徴とする衛生薄葉紙のディスペンサー。
【請求項６】
ディスペンサーがプラスチック等のシート状物からなり、そのフラップを備える広幅方向の両側面が開閉され、この両側面から紙箱等を装填する一体型の衛生薄葉紙用ディスペンサーである請求項５記載のディスペンサー。
【発明の詳細な説明】
【技術分野】
【０００１】
本発明はティシュペーパー、ペーパータオルなどの衛生薄葉紙を収納するディスペンサーに関する。
【背景技術】
【０００２】
ホテルや店舗などの商業施設で使用される紙箱入りティシュペーパーやペーパータオルなどを収納するディスペンサーにおいて、収納物である紙箱にはそれぞれの製品特性によりサイズに違いがある。製法によっても、インターホルダー方式とマルチホルダー方式によってサイズが異なることがある。高さはほぼ同じ場合でも、広幅方向でまちまちの規格になっているため現行のディスペンサーに紙箱を入れると左右にやや遊びが出てしまいディスペンサーの取出し口と紙箱の取出し口の位置がずれ、使い辛い場合がある。最悪の場合、最初の数枚は摩擦抵抗が大きいため切れてしまう恐れもある。特にマルチホルダー方式の場合には、シートの取出し方向が引張強度の低いシートの横方向にあたるためこの傾向が高い。また、紙箱を使わずフィルム包装したティシュペーパーなどもあるが、これについても内部で位置ずれが発生するなど同様の問題が存在した。
【０００３】
【特許文献１】特開平０７−３１５４５７
【発明の開示】
【発明が解決しようとする課題】
【０００４】
解決しようとする問題点は製品特性により広幅方向のサイズの異なる大小複数種類の紙箱などを内容物として収納するディスペンサーであって、このディスペンサーの広幅方向のサイズおよび取出し口の位置が上記の一方の広幅方向のサイズの大きい種類の紙箱等のサイズおよび取出し口に合わせて形成されている衛生薄葉紙のディスペンサーにおいて、上記の他方の広幅方向のサイズが小さい種類の紙箱などを収納する際に、該ディスペンサーの取出し口の位置と紙箱等の取出し口の位置のずれを解消することにある。
【課題を解決するための手段】
【０００５】
本発明はプラスチック等のシート状物からなり、フラップを備える広幅方向の両側面が開閉され、この両側面から紙箱等を装填する一体型の衛生薄葉紙用ディスペンサーにおいて、該ディスペンサーの広幅方向の両側面の内側面に位置調整用の部材を設けたことを特徴とする衛生薄葉紙のディスペンサーに係わる。
上記の部材には、ウレタンフォームなどの圧縮可能な弾性部材を用いる。形状は任意に直方体や円柱形あるいは曲面を備えていてもよく、複数でもよい。また着脱自在としてもよい。部材の位置は両側面の幅および高さのそれぞれほぼ中央部が好ましい。紙箱等の内容物とディスペンサー両者を組み合わせることで適正位置に収納されていることを示すインジケーターを備えていても良い。
【０００６】
また本発明は製品特性により広幅方向のサイズの異なる大小複数種類の紙箱などを内容物として収納するディスペンサーにおいて、このディスペンサーの広幅方向のサイズが上記の一方の広幅方向のサイズが大きい種類の紙箱などに合わせて形成され、上記の他方の広幅方向のサイズが小さい種類の紙箱などを収納する際には該ディスペンサーの広幅方向の両内側面に該ディスペンサーの取出し口の位置と紙箱等の取出し口の位置のずれを解消するための位置調整用の部材を取付けることを特徴とする衛生薄葉紙のディスペンサーに係わる。
上記のディスペンサーはプラスチック等のシート状物からなり、そのフラップを備える広幅方向の両側面が開閉され、この両側面から紙箱等を装填する一体型の衛生薄葉紙用ディスペンサーである。
【０００７】
上記の位置調整用の部材がウレタンフォームであれば、密度１５〜２２ｋｇ／ｍ３、引張り強度は７０Ｋpa以上が好ましい。またサイズについては、部材の形状は４mm〜７mm厚、縦２５mm〜３５mm×横５０mm〜９０mmさらに、好ましくは厚み４．５〜５．５mm、縦２５〜３５mm×横５０〜６０mmである。尚上記物性やサイズは紙箱等のサイズにより適宜設定される。
この範囲の部材の厚みであれば、広幅寸法が不足する場合には左右の部材の反発により紙箱が適正位置に収まり、規格の紙箱であってもフラップと紙箱の間で部材が潰れフラップが浮いてしまらなくなることがない。側面のほぼ中央部に部材を配置することにより、若干広幅な紙箱でも紙箱側面のたわみ作用によりフラップの収まりが損なわれにくい。また部材の縦横寸法については、出し入れ作業のしやすさや、ディスペンサーの収納しやすさなどからこの寸法が好ましい。
【発明の効果】
【０００８】
本発明の効果を要約し列記すると次の通りである。
（１）両サイドフラップ内面の部材が内容物と適度に接触し内部スペースを埋めることで左右に遊びが出てしまう場合の隙間をなくし、紙箱等の内容物を適正な位置（中央）に収納することができる。
（２）ディスペンサーの規格に合っている内容物の場合には両側の部材が必要な分だけ潰れるため問題なく挿入ができ、シート取出しも問題ない。
（３）組み立て式ディスペンサーの場合にも、嵩張らずに折り畳みを妨げることがない。（４）インジケーターを付加すれば適正な組合せをユーザーに促すことができる。
【発明を実施するための最良の形態】
【０００９】
以下に本発明の実施例を図面を用いて説明するが、本発明はこれのみに制約されるものではない。
【実施例１】
【００１０】
図１はディスペンサーの外観図でディスペンサー（１）はプラスチック等のシート状物からなり、フラップ（２）（２）を備える広幅方向の両側面が開閉され、この両側面から衛生薄葉紙を充填した紙箱を装填する一体型の折り畳み可能の構成である。フラップ（２）（２）は差込み片（３）（３）を備えて、箱型に組立てたディスペンサーの両側面からディスペンサーの内底面上に差込み、フラップ（２）（２）をディスペンサーの両側面として安定的にセットできる構成となっている。（４）は薄葉紙シートの取出し口である。このフラップ（２）（２）の両側面の内側面に位置調整用の弾性部材からなる部材（５）が設けられている。図２はディスペンサー（１）の両側面のフラップ（２）（２）を開けた状態を示し、この状態から衛生薄葉紙を充填した紙箱（６）（６’）を図３および図４のように装填し、ディスペンサー（１）の取出し口（４）と紙箱（６）（６’）の取出し口（７）とが一致した状態で紙箱（６）（６’）内の薄葉紙シート（８）を取出し口（７）および（４）を通してポップアップ式に順次取出せるようになっている。図４は適正規格の紙箱（６’）を適正規格のディスペンサー（１）に装填した場合を示し、この場合には紙箱（６’）の左右にはディスペンサー（１）の対応内側面の部材（５）が（５’）のように圧縮変形されて密着し、また両取出し口（４）と（７）の位置はずれることなく一致している。図３は適正規格のディスペンサー（１）内に非適正規格の左右長のやや短かい紙箱（６）を装填した場合を示し、部材（５）がないとするとこの紙箱（６）の左右とディスペンサー（１）の対応内側面との間にはやや遊びが出てしまい、ディスペンサーの取出し口（４）と紙箱の取出し口（７）の位置がずれることになる。本発明では図３に示すようにディスペンサー（１）の対応両内側面に位置調整用の弾性材料の部材（５）を設けて、部材（５）の弾性復元によりディスペンサーの内側面と紙箱の左右は密着し上記の遊びの解消と取出し口（４）と（７）の位置合わせを果している。図５は図２の状態からディスペンサー（１）を折り畳んだ状態を示している。
【実施例２】
【００１１】
図６は部材（５）の形状の例示図で、（ａ）は直方体ないし平板状の部材を、（ｂ）は円柱状ないしは円盤状の部材を、（ｃ）は下面が平面で上面が凸曲面をなす凸面状の部材、（ｄ）は上下両面とも凸面状のアーチ状部材である。
【実施例３】
【００１２】
図７は紙箱（６）とディスペンサー（１）の両者を組合わせることで前者が後者内に適正位置に収納されていることを示すインジケータを備えた例である。図面左側のディスペンサー（１）の取出し口（４）の側面に近接してその長手方向中央に切欠き（９）を設けると共に紙箱（６）の取出し口（７）の側面に近接してその長手方向中央にマーカー（１０）を設けてある。かくすることによりディスペンサー（１）とその内に装填した紙箱（６）の両取出し口（４）と（７）の位置が合っているか否かは外部から切欠き（９）を通してマーカー（１０）を覗き見することで容易に確認でき、高品質保証の面で有利である。
【実施例４】
【００１３】
図８は左側のディスペンサー（１）の取出し口（４）の側面に近接してその長手方向中央に透視窓状のマーカー（１１）を備えると共に右側の紙箱（６）の取出し口（４）の側面に近接してその長手方向中央に黒斑状のマーカー（１２）を設け、取出し口（４）と（７）とが一致しているときはマーカー（１１）を通してマーカー（１２）を認識することができる。
【実施例５】
【００１４】
実際にカートンサイズの違う紙箱製品についてこれを適正規格のディスペンサーに入れて適正を確認した。従来品の場合、適正規格でないカートン広幅寸法＜２４３mm＞のティッシュ紙箱を現行の適正規格のディスペンサー＜外寸２６０mm＞に入れるとディスペンサーの取出し口と紙箱の取出し口の位置がずれて取出し口センター部分から約５mm片方向へずれた。その関係で取出し口から紙を引上げると摩擦抵抗が大きく切れやすい状態となった。
本発明品の場合、適正規格のディスペンサーの内側面略中央にウレタンフォームを貼り付けてと同様に適正規格でない紙箱を入れる。装填作業は従来品と変わることがなく、取出し口の位置のずれは見られず、また、取出しも良好であった。部材（５）がウレタンフォームであれば、密度１５〜２２ｋｇ／ｍ３、引張り強度は７０Ｋpa以上が好ましい。またサイズについては、部材の形状は４mm〜７mm厚、縦２５mm〜３５mm×横５０mm〜９０mmさらに、好ましくは厚み４．５〜５．５mm、縦２５〜３５mm×横５０〜６０mmである。上記物性やサイズは紙箱等のサイズにより適宜設定される。
この範囲の部材の厚みであれば、広幅寸法が不足する場合には左右の部材の反発により紙箱が適正位置に収まり、規格の紙箱であってもフラップと紙箱の間で部材が潰れフラップが浮いてしまらなくなることがない。側面のほぼ中央部に部材を配置することにより、若干広幅な紙箱でも紙箱側面のたわみ作用によりフラップの収まりが損なわれにくい。また部材の縦横寸法については、出し入れ作業のしやすさや、ディスペンサーの収納しやすさなどからこの寸法が好ましい。
【図面の簡単な説明】
【００１５】
【図１】ディスペンサーの外観図およびその一部拡大図
【図２】ディスペンサーの両側面のフラップを開けた状態図
【図３】適正規格のディスペンサーに適正規格でない紙箱を装填したときの断面図
【図４】適正規格のディスペンサーに適正規格の紙箱を装填したときの断面図
【図５】ディスペンサーを折畳んだ状態図
【図６】ａ，ｂ，ｃ，ｄは部材（５）の各種形状図
【図７】インジケータの例示図で左側はディスペンサーを、右側は紙箱を示している
【図８】インジケータの他の例示図である
【符号の説明】
【００１６】
１．．．ディスペンサー
２．．．フラップ（広幅方向の両側面）
３．．．差込み片
４．．．ディスペンサーの取出し口
５．．．位置調整用部材
５’．．．圧縮変形された位置調整用部材
６．．．非適正規格の紙箱
６’．．．適正規格の紙箱
７．．．紙箱の取出し口
８．．．薄葉紙のシート
９．．．切欠き
１０．．．マーカー
１１．．．マーカー
１２．．．マーカー
【図１】
2006027694.tif 000003
【図２】
2006027694.tif 000004
【図３】
2006027694.tif 000005
【図４】
2006027694.tif 000006
【図５】
2006027694.tif 000007
【図６】
2006027694.tif 000008
【図７】
2006027694.tif 000009
【図８】
2006027694.tif 000010